(57)【特許請求の範囲】
【請求項１】
本容器に詰め替える内容物が収容される容器本体と、
前記容器本体の口部から容器軸方向に沿った該容器本体の外側に向けて延在するとともに、前記本容器の注入口内に差し込み可能とされ、かつ先端部に注出口が形成された注出筒と、
前記注出口を閉塞するとともに、該注出口の開口周縁部に破断可能な弱化部を介して連結された閉塞板と、
前記閉塞板に連結された操作突片と、を備えた詰め替え容器であって、
前記操作突片は、
一端部が前記閉塞板に連結され、かつ他端部が前記注出筒の径方向外側に配置された突片本体と、
前記突片本体の前記他端部に設けられ、前記容器軸方向に沿った前記容器本体の外側に向けて開口し、前記本容器の前記注入口の開口端縁に係止されるフック部と、を備え、
前記突片本体には、前記閉塞板との間に介装されるとともに、前記フック部が前記本容器の前記注入口の開口端縁に係止された状態において前記容器本体が該本容器に対して前記容器軸方向に沿って接近移動させられる過程で、前記注出筒における前記注出口の開口周縁部に配置される回動支持部が設けられていることを特徴とする詰め替え容器。
【請求項２】
請求項１に記載の詰め替え容器であって、
前記回動支持部は、前記注出筒における前記注出口の開口周縁部に当接可能であることを特徴とする詰め替え容器。
【発明の詳細な説明】
【技術分野】
【０００１】
本発明は、詰め替え容器に関するものである。
【背景技術】
【０００２】
この種の詰め替え容器として、従来、例えば下記特許文献１に記載されているような、本容器に詰め替える内容物が収容される容器本体と、容器本体の口部に装着され、該口部を閉塞する中栓と、を備え、中栓を本容器の口部に螺着させた状態で詰め替えを行う詰め替え容器が知られている。この中栓には、内容物を注出するための注出口が形成されているとともに、該注出口を閉塞するシール部が設けられている。シール部は、例えばプルトップが付設された蓋体からなる。
【０００３】
上記した詰め替え容器では、まずプルトップを引き上げて中栓の注出口を開封する。続いて、詰め替え容器を正立姿勢（口部が上向きの姿勢）に配置し、該詰め替え容器の中栓に、倒立姿勢（口部が下向きの姿勢）とされた本容器の口部を螺着する。そしてこの状態から、詰め替え容器と本容器とを上下反転させて、本容器を正立姿勢にするとともに詰め替え容器を倒立姿勢にする。これにより、詰め替え容器内の内容物が、詰め替え容器及び本容器の各口部の内側を流通して本容器内に詰め替えられる。
【先行技術文献】
【特許文献】
【０００４】
【特許文献１】特開２０００−１５９２４９号公報
【発明の概要】
【発明が解決しようとする課題】
【０００５】
しかしながら、上記した従来の詰め替え容器では、中栓の注出口を開封した後、中栓に本容器の口部を螺着し、その後、詰め替え容器と本容器とを上下反転させる必要があるので、詰め替え作業が煩雑となっていた。
また、中栓の注出口を開封した後に、該中栓に対して本容器の口部を螺着するため、その螺着作業中に誤って詰め替え容器を倒すと、詰め替え容器内の内容物がこぼれ出るおそれがあった。
さらに、中栓に本容器の口部を螺着する際には、該本容器を倒立姿勢にするため、本容器内に内容物が残留していると、該内容物がこぼれるおそれがある。従って、本容器内の内容物を使い切った後でないと、詰め替え作業を行い難かった。
【０００６】
本発明は、このような事情に鑑みてなされたものであって、詰め替え作業を簡便に行うことができるうえ、詰め替え時に内容物をこぼし難く、また、本容器内の内容物が残留している場合であっても詰め替え作業を行うことができる詰め替え容器を提供することを目的としている。
【課題を解決するための手段】
【０００７】
このような課題を解決して、前記目的を達成するために、本発明は以下の手段を提案している。
すなわち、本発明は、本容器に詰め替える内容物が収容される容器本体と、前記容器本体の口部から容器軸方向に沿った該容器本体の外側に向けて延在するとともに、前記本容器の注入口内に差し込み可能とされ、かつ先端部に注出口が形成された注出筒と、前記注出口を閉塞するとともに、該注出口の開口周縁部に破断可能な弱化部を介して連結された閉塞板と、前記閉塞板に連結された操作突片と、を備えた詰め替え容器であって、前記操作突片は、一端部が前記閉塞板に連結され、かつ他端部が前記注出筒の径方向外側に配置された突片本体と、前記突片本体の前記他端部に設けられ、前記容器軸方向に沿った前記容器本体の外側に向けて開口し、前記本容器の前記注入口の開口端縁に係止されるフック部と、を備え、前記突片本体には、前記閉塞板との間に介装されるとともに、前記フック部が前記本容器の前記注入口の開口端縁に係止された状態において前記容器本体が該本容器に対して前記容器軸方向に沿って接近移動させられる過程で、前記注出筒における前記注出口の開口周縁部に配置される回動支持部が設けられていることを特徴とする。
【０００８】
本発明の詰め替え容器によれば、注出筒の径方向外側に配置された突片本体の他端部にフック部が形成されているので、該フック部を本容器の注入口の開口端縁に係止させながら、注出筒を本容器の注入口に対して向かい合わせに配置することができる。そのため、容器本体と本容器とを容器軸方向に沿って相対的に接近移動させることで、注出筒を本容器の内側に差し込むように移動させることができる。このとき、フック部が係止されているので、本容器の内側への注出筒の移動に伴って突片本体が徐々に張った状態となり、しだいに該突片本体を介して閉塞板に対して相対的に引張力を作用させることができる。
従って、弱化部を破断しながら閉塞板を開けることができ、閉塞していた注出口を開放することができる。その結果、注出口を通して容器本体内の内容物を本容器内に注出することができ、本容器内への詰め替えを行うことができる。
【０００９】
また、フック部を注出口の開口端縁に係止させながら、詰め替え容器と本容器とを容器軸方向に沿って相対的に接近移動させるという簡便な作業によって、内容物の詰め替え作業を行うことができる。しかも、容器本体と本容器とを容器軸方向に沿って相対的に接近移動させるまで、注出口は閉塞板によって閉塞されているので、詰め替え前の段階で容器本体内の内容物がこぼれることがない。さらに、詰め替え容器の開封と同時に内容物が本容器に詰め替えられるので、本容器を倒立姿勢にすることなく詰め替え作業を行うことが可能になり、例えば本容器内の内容物が残留している場合であっても、内容物の詰め替え作業を行うことができる。
【００１０】
さらに、フック部が注入口の開口端縁に係止された状態において、容器本体が本容器に対して容器軸方向に沿って接近移動させられる過程で、閉塞板が突片本体とともに、回動支持部のうち、注出筒における注出口の開口周縁部に配置された部分（突き当たった部分）を支点として、容器軸方向の外側へ向かうように回動するので、弱化部を破断しやすくなり、注出口を勢いよくひといきに開けることができる。
【００１１】
なお、例えば詰め替え容器の容器本体が薄肉に形成されている場合には、注出口が少しでも開いてしまうと、容器本体の剛性が低下してしまうため、注出口をそれ以上は開け難くなるという現象が生じるおそれが考えられるが、突片本体に、閉塞板との間に介装される回動支持部が設けられていると、前述のように注出口を勢いよくひといきに開けることができるため、このような現象が生じるのを抑えることができる。
また、回動支持部を、閉塞板にではなく突片本体に設けているので、詰め替え容器の製造時においてこの回動支持部を成形しやすく、また、回動支持部のうち注出筒の注出口の開口周縁部に配置した部分を支点として、該回動支持部とともに閉塞板を、所期する容器軸方向の外側へ向けて安定して回動させやすくなる。
【００１２】
以上より本発明によれば、詰め替え作業を簡便に行うことができるうえ、詰め替え時に内容物をこぼし難く、また、本容器内の内容物が残留している場合であっても詰め替え作業を行うことができる。
【００１３】
また、本発明の詰め替え容器において、前記回動支持部は、前記注出筒における前記注出口の開口周縁部に当接可能であることとしてもよい。
【００１４】
この場合、上述した作用効果をより安定的に得ることができる。
【発明の効果】
【００１５】
本発明の詰め替え容器によれば、詰め替え作業を簡便に行うことができるうえ、詰め替え時に内容物をこぼし難く、また、本容器内の内容物が残留している場合であっても詰め替え作業を行うことができる。
【図面の簡単な説明】
【００１６】
【図１】本発明に係る一実施形態として示した詰め替え容器の縦断面図である。
【図２】図１に示す詰め替え容器の上面図である。
【図３】本発明の一実施形態に係る詰め替え容器を本容器に組み合わせた状態から、詰め替え容器と本容器とを容器軸方向に相対的に接近移動させて、注出口を開放する過程を説明する縦断面図である。
【図４】本発明の一実施形態に係る詰め替え容器を本容器に組み合わせた状態から、詰め替え容器と本容器とを容器軸方向に相対的に接近移動させて、注出口を開放する過程を説明する縦断面図である。
【図５】本発明の参考例として示した詰め替え容器の縦断面図である。
【図６】参考例に係る詰め替え容器を本容器に組み合わせた状態から、詰め替え容器と本容器とを容器軸方向に相対的に接近移動させて、注出口を開放する過程を説明する縦断面図である。
【図７】参考例に係る詰め替え容器を本容器に組み合わせた状態から、詰め替え容器と本容器とを容器軸方向に相対的に接近移動させて、注出口を開放する過程を説明する縦断面図である。
【発明を実施するための形態】
【００１７】
以下、本発明の一実施形態に係る詰め替え容器１について、図面を参照して説明する。
図１及び図２に示すように、本実施形態の詰め替え容器１は、本容器Ａ（図３及び図４参照）に詰め替える図示しない内容物が収容される有底筒状の容器本体２と、本容器Ａの注入口１Ａ内に差し込み可能とされ、先端部に注出口３ａが形成された注出筒３と、該注出筒３の注出口３ａを閉塞する閉塞板４と、該閉塞板４に連結された操作突片５と、を備えている。
【００１８】
なお、上述した容器本体２及び注出筒３は、それぞれの中心軸線が共通軸上に位置された状態で配設されている。本実施形態では、この共通軸を容器軸Ｏといい、この容器軸Ｏに沿った注出筒３側を上側、容器本体２側を下側という。また、容器軸Ｏ方向から見た平面視で、容器軸Ｏに直交する方向を径方向といい、容器軸Ｏ回りに周回する方向を周方向という。
【００１９】
容器本体２における口部２ａ及び胴部２ｂは円筒状に形成されている。
注出筒３は、容器本体２の口部２ａから容器軸Ｏ方向に沿って上方に向けて延在する筒状に形成されており、下端部に連結された装着筒１０を介して容器本体２の口部２ａに装着されている。注出筒３の上端開口が注出口３ａとなっている。
注出筒３は、周方向に沿って湾曲した湾曲壁部４１と、湾曲壁部４１の両周端部同士を連結する平坦壁部４２と、により構成されていて、容器軸Ｏに直交する横断面視形状がＤ字状となっている。
【００２０】
装着筒１０は、注出筒３より大径に形成されるとともに容器本体２の口部２ａに螺着された周壁部１１と、注出筒３の下端部と周壁部１１の上端部とを連結し、かつ口部２ａの開口端縁上に配置された環状のフランジ部１３と、を備えている。
フランジ部１３の上面には、周方向に間隔をあけて複数の突当り突部１５が形成されている。突当り突部１５は、表裏面が周方向を向く板状に形成されている。突当り突部１５は、注出筒３の下端部の外周面に接続されている。図示の例では、突当り突部１５は、注出筒３のうち湾曲壁部４１の下端部の外周面に接続されている。
【００２１】
なお、フランジ部１３には、容器本体２の口部２ａの内側に嵌合するシール筒１４が形成されており、口部２ａと装着筒１０との間を例えば液密にシールしている。また、図示の例では、周壁部１１を容器本体２の口部２ａに螺着したが、この場合に限定されるものではなく、例えばアンダーカット嵌合させても構わない。
【００２２】
注出筒３の外径は、本容器Ａの注入口１Ａの内径の大きさ以下となっている。注出口３ａが位置する注出筒３の上端開口面は、容器軸Ｏに直交する水平方向に沿って延在している。つまり注出筒３の上端開口面（注出口３ａ）は、容器軸Ｏに垂直な水平面内に位置している。
【００２３】
閉塞板４は、注出口３ａの形状に倣って形成されて該注出口３ａを閉塞しており、該注出口３ａの開口周縁部に、破断可能な弱化部３０を介して連結されている。
ここで、本実施形態では、注出口３ａの開口周縁部の上面視形状は、注出筒３の横断面視形状と同じＤ字状となっている。閉塞板４は、この注出口３ａの開口周縁部のうち、上面視で曲線状をなす部分にのみ弱化部３０を介して連結され、上面視で直線状をなす部分には破断しにくい連結部３１を介して連結されている。弱化部３０の肉厚は、閉塞板４の肉厚より小さく、連結部３１の肉厚は閉塞板４の肉厚と同等になっている。また、閉塞板４は、注出筒３の肉厚よりも薄く形成され、変形可能（例えば弾性変形可能）とされている。閉塞板４の表裏面は、容器軸Ｏに直交する平坦面となっている。
なお、閉塞板４は、肉厚を例えば注出筒３の肉厚以上として変形しにくくしてもよい。
【００２４】
操作突片５は、一端部２０ａが閉塞板４に連結され、かつ他端部２０ｂが注出筒３の径方向外側に配置された帯状の突片本体２０と、この突片本体２０の他端部２０ｂに設けられ、上方に向けて開口するフック部２１と、を備えている。
操作突片５の周方向の中央部は、注出筒３における湾曲壁部４１及び平坦壁部４２それぞれの周方向の中央部と一致している。
【００２５】
突片本体２０は、容器軸Ｏを径方向に跨いでいて、一端部２０ａと他端部２０ｂとの間に位置する部分が容器軸Ｏ上に位置している。また、突片本体２０の他端部２０ｂは、突片本体２０の一端部２０ａよりも下方に位置している。突片本体２０の一端部２０ａは、閉塞板４から上方に延在している。突片本体２０のうち、一端部２０ａと他端部２０ｂとの間に位置する部分は、上方に向けて突の曲線状に形成されている。
【００２６】
そして、突片本体２０には、閉塞板４との間に介装される回動支持部６が設けられている。具体的に、この回動支持部６は、突片本体２０のうち、注出筒３における注出口３ａの開口周縁部及び閉塞板４に対向する部分に垂下設されている。
【００２７】
回動支持部６は、突片本体２０における一端部２０ａと他端部２０ｂとの間の部分に位置している。図示の例では、回動支持部６は直方体状をなしているとともに、径方向に延びており、その下端面が、閉塞板４との間に隙間をあけて該閉塞板４に対向配置されている。また、回動支持部６の周方向に沿った幅（図２における上下方向の幅）は、突片本体２０における該回動支持部６以外の部位の周方向に沿った幅に対して、同等以下とされている。
【００２８】
図１において、回動支持部６の下端部のうち、径方向に沿う一端部２０ａとは反対側に位置する角部は、注出筒３における注出口３ａの開口周縁部及び連結部３１上に配置されている。後述する内容物の詰め替え作業（操作）の過程で、回動支持部６は、少なくともその前記角部が、注出筒３における注出口３ａの開口周縁部に当接可能である。
【００２９】
フック部２１は、突片本体２０の他端部２０ｂに接続され、下方に向けて突出する内側部２１ａと、内側部２１ａの下端から径方向の外側に延びる連結部２１ｂと、連結部２１ｂの径方向の外端から上方に向けて突出する外側部２１ｃと、を備えている。
フック部２１は、周方向の両方向に開口している。フック部２１の周方向に沿った幅は、突片本体２０の周方向に沿った幅と同等になっている。フック部２１の内側部２１ａは、破断可能なブリッジ部２２を介して注出筒３の外周面に連結されている。図示の例では、フック部２１の内側部２１ａは、注出筒３の平坦壁部４２の外周面に連結されている。
【００３０】
ここで、本実施形態では、注出筒３に、操作突片５よりも上方に向けて突出する保護突起１６が配設されている。
保護突起１６は、注出筒３において、突片本体２０の一端部２０ａを径方向に挟む突片本体２０の他端部２０ｂの反対側に位置する部分に配設されている。図示の例では、保護突起１６は、注出筒３のうち、湾曲壁部４１の上端開口縁における周方向の中央部に配設されている。なお、突片本体２０の一端部２０ａは、閉塞板４の外周縁部のうち、保護突起１６の径方向の内側に隣接する部分に連結されている。
【００３１】
また、保護突起１６は、注出筒３とともに、本容器Ａの注入口１Ａ内に差し込み可能に形成されている。保護突起１６は、注出筒３の外周面から径方向の外側に突出しておらず、図示の例では、保護突起１６の外表面のうち、径方向の外側を向く外側面１６ａは、周方向に沿って湾曲していて注出筒３の外周面とほぼ面一となっている。保護突起１６の周方向の幅は、突片本体２０の一端部２０ａの周方向の幅より大きくなっている。保護突起１６のうち、最も肉厚の厚い部分における肉厚は、注出筒３の肉厚と同等になっている。
さらに、保護突起１６の外表面のうち、操作突片５側を向く内側面１６ｂは平坦面となっており、この詰め替え容器１の上面視において、保護突起１６の内側面１６ｂと、注出筒３の平坦壁部４２と、は平行になっている。
【００３２】
次に、上述したように構成された詰め替え容器１から本容器Ａに内容物を詰め替える方法について説明する。
【００３３】
まず、詰め替え容器１を倒立姿勢にするとともに本容器Ａを正立姿勢にした状態で、詰め替え容器１を本容器Ａの上方に配置させた後、図３に示すように、突片本体２０の他端部２０ｂに設けられたフック部２１を本容器Ａの注入口１Ａの開口端縁に係止させながら、詰め替え容器１と本容器Ａとを組み合わせる。
この際、保護突起１６の外側面１６ａが、注入口１Ａの内周面に近接若しくは当接し、また、突片本体２０が注入口１Ａ内に進入する。さらに、突当り突部１５は、注入口１Ａの開口端縁の上方に位置し、フランジ部１３の一部は、フック部２１の連結部２１ｂの上方に位置する。
なお、上述したように詰め替え容器１を倒立姿勢とすることで、詰め替え容器１における上下が反転することとなり、倒立姿勢の詰め替え容器１において、容器軸Ｏ方向に沿った注出筒３側が下側、容器本体２側が上側となる。
【００３４】
続いて、フック部２１を本容器Ａの注入口１Ａの開口端縁に係止させたままの状態で、詰め替え容器１と本容器Ａとを容器軸Ｏ方向に相対的に接近移動させ、ブリッジ部２２を破断させながら注出筒３を本容器Ａの内側に差し込むように下方に移動させる。このとき、フック部２１が本容器Ａに係止されているので、本容器Ａの内側への注出筒３の移動に伴って、突片本体２０が徐々に張った状態となり、しだいに突片本体２０を介して閉塞板４に引張力を作用させることができる。
従って、図４に示すように、弱化部３０を破断しながら閉塞板４を、容器軸Ｏを径方向に挟む保護突起１６の反対側に向けて変形若しくは変位させることができ、閉塞していた注出口３ａを開放することができる。
【００３５】
具体的には、図３に示すように、フック部２１が本容器Ａの注入口１Ａの開口端縁に係止された状態において容器本体２が該本容器Ａに対して容器軸Ｏ方向に沿って接近移動（下方移動）させられる過程で、回動支持部６が、注出筒３における注出口３ａの開口周縁部に配置される。
続いて図４に示すように、閉塞板４が突片本体２０とともに、回動支持部６のうち、注出筒３における注出口３ａの開口周縁部に配置された部分（前記開口周縁部に突き当たった角部）を支点として、下方へ向かうように回動するとともに、弱化部３０が破断される。
その結果、注出口３ａを通じて容器本体２内の内容物を本容器Ａ内に注出することができ、本容器Ａ内への詰め替えを行うことができる。
また、弱化部３０が破断された後は、回動支持部６において閉塞板４側を向く端面が、注出筒３における注出口３ａの開口周縁部に摺接しつつ、回動支持部６が上方へ向けて移動して、平坦壁部４２の径方向外側に配置される。
【００３６】
そして、特に図示していないが、注出筒３を本容器Ａの注入口１Ａ内に完全に差し込んだ状態では、突当り突部１５が、注入口１Ａの開口端縁に当接して、注入口１Ａの開口端縁と、装着筒１０のフランジ部１３の上面と、の間の隙間が確保され、また、フック部２１の連結部２１ｂが装着筒１０のフランジ部１３に当接する。また、注出筒３の湾曲壁部４１の外周面が注入口１Ａの内周面に近接若しくは当接し、突片本体２０及びその回動支持部６が、注出筒３の平坦壁部４２の外周面と注入口１Ａの内周面との間の隙間に進入する。
【００３７】
以上説明したように、本実施形態による詰め替え容器１によれば、フック部２１を本容器Ａに係止した状態で、詰め替え容器１と本容器Ａとを容器軸Ｏ方向に沿って相対的に接近移動させるという簡便な作業によって、内容物を詰め替えることができる。
しかも、フック部２１を本容器Ａに係止した後であっても、容器本体２と本容器Ａとを容器軸Ｏ方向に沿って相対的に接近移動させるまでは、注出口３ａは閉塞板４によって閉塞されているので、詰め替え前の段階で容器本体２内の内容物がこぼれることがない。
さらに、本容器Ａを倒立姿勢にせず、未開封の詰め替え容器１を倒立姿勢にして詰め替え作業を行うので、例えば本容器Ａ内の内容物が残留している場合であっても、内容物の詰め替え作業を行うことができる。
【００３８】
また、フック部２１が注入口１Ａの開口端縁に係止された状態において、容器本体２が本容器Ａに対して容器軸Ｏ方向に沿って接近移動させられる過程で、閉塞板４が突片本体２０とともに、回動支持部６のうち、注出筒３における注出口３ａの開口周縁部に配置された部分（突き当たった部分）を支点として、容器軸Ｏ方向の外側へ向かうように回動するので、弱化部３０を破断しやすくなり、注出口３ａを勢いよくひといきに開けることができる。
【００３９】
なお、例えば詰め替え容器１の容器本体２が薄肉に形成されている場合には、注出口３ａが少しでも開いてしまうと、容器本体２の剛性が低下してしまうため、注出口３ａをそれ以上は開け難くなるという現象が生じるおそれが考えられるが、本実施形態のように、突片本体２０に、閉塞板４との間に介装される回動支持部６が設けられていると、前述の通り注出口３ａを勢いよくひといきに開けることができるため、このような現象が生じるのを抑えることができる。
【００４０】
上記現象について、参考例により具体的に説明する。図５〜図７に示すものは、本発明の参考例である。
図５に示すように、この参考例では、突片本体２０に回動支持部６が設けられていない。この場合、図６に示すように、フック部２１を本容器Ａの注入口１Ａの開口端縁に係止させたままの状態で、詰め替え容器１と本容器Ａとを容器軸Ｏ方向に相対的に接近移動させ、ブリッジ部２２を破断させながら注出筒３を本容器Ａの内側に差し込むように下方に移動させると、本容器Ａの内側への注出筒３の移動に伴って、突片本体２０が徐々に張った状態となり、しだいに突片本体２０を介して閉塞板４に引張力が作用する。
ただしこの引張力は、容器軸Ｏに直交する径方向へ向けて（水平方向に向けて）作用するため、弱化部３０を破断しにくい。その結果、図７に示すように、弱化部３０は少しずつ破断されて、注出口３ａが少し開いた状態となり、このため上述した現象が生じやすくなる。
一方、本実施形態によれば、突片本体２０に回動支持部６を設けたことによって弱化部３０をひといきに破断することができ、従って注出口３ａを安定して開口できる。
【００４１】
なお、回動支持部６を、閉塞板４にではなく突片本体２０に設けているので、詰め替え容器１の製造時においてこの回動支持部６を成形しやすく、また、回動支持部６のうち注出筒３の注出口３ａの開口周縁部に配置した部分を支点として、該回動支持部６とともに閉塞板４を、所期する下方へ向けて安定して回動させやすくなる。
【００４２】
以上より本実施形態によれば、詰め替え作業を簡便に行うことができるうえ、詰め替え時に内容物をこぼし難く、また、本容器Ａ内の内容物が残留している場合であっても詰め替え作業を行うことができる。
【００４３】
また本実施形態では、回動支持部６が、注出筒３における注出口３ａの開口周縁部に当接可能であるので、上述した作用効果をより安定的に得ることができる。
【００４４】
また、注出筒３に、操作突片５よりも上方に突出する保護突起１６が配設されているので、例えば、この詰め替え容器１が落下する等したときに、他の部材が、操作突片５ではなく、まず保護突起１６に衝突しやすくなり、操作突片５に不意に外力が加えられるのを抑制することが可能になり、意図せず弱化部３０が破断され注出口３ａが開口されるのを抑えることができる。
【００４５】
また、保護突起１６が、注出筒３とともに、本容器Ａの注入口１Ａ内に差し込み可能になっているので、保護突起１６を本容器Ａの注入口１Ａの開口端縁に摺接させながら、詰め替え容器１の注出筒３を、保護突起１６とともに本容器Ａの注入口１Ａに差し込むことが可能になり、この差し込みを容易に行うことができる。
【００４６】
また、保護突起１６が、注出筒３において、突片本体２０の一端部２０ａを径方向に挟む突片本体２０の他端部２０ｂの反対側に位置する部分に配設されていて、この保護突起１６の内側面１６ｂが平坦面となっているので、この詰め替え容器１を成形する一対の成形金型の構造を複雑にすることなく、詰め替え容器１を容易に形成することができる。
【００４７】
なお、本発明は上記した実施の形態に限定されるものではなく、本発明の趣旨を逸脱しない範囲で適宜変更可能である。
【００４８】
例えば前記実施形態では、回動支持部６が直方体状をなしているとしたが、この形状に限らない。すなわち、回動支持部６は、例えば直方体（四角柱）状以外の多角柱状や円柱状、板状、軸状、突起状、半球状等であってもよい。また、回動支持部６において閉塞板４側を向く面は、容器軸Ｏに垂直な平坦面や、容器軸Ｏに対して傾斜する傾斜面、容器軸Ｏ方向に向けて突出し又は窪む曲面等、種々に設定可能である。具体的に、回動支持部６は、その形状や容器軸Ｏ方向の長さ（高さ）等を適宜設定することが可能であり、これにより開封時に、この回動支持部６とともに閉塞板４を、容器軸Ｏ方向の外側へ向かう方向のうち所期する向きへと回動させることができる（つまり回動の向きを微調整できる）。
【００４９】
また、前記実施形態では、保護突起１６の内側面１６ｂが平坦面に形成された構成を示したが、これに限らず例えば、外側面１６ａと同様に周方向に沿って湾曲させてもよい。この構成において、保護突起１６の径方向に沿う厚さは全周にわたって同等にしてもよい。
【００５０】
また、前記実施形態では、注出筒３、閉塞板４及び操作突片５と、容器本体２と、が別部材とされた構成を示したが、例えば容器本体としてチューブ容器を採用することなどにより、全てが一体に形成された構成を採用してもよい。
また、前記実施形態では、フック部２１と注出筒３の外周面とをブリッジ部２２を介して連結したが、連結しなくてもよく、また、突当り突部１５は設けなくてもよい。
また、注出筒３は、平坦壁部４２を有さず全周が湾曲壁部４１からなる円筒状にしてもよい。
また、容器本体２における口部２ａ及び胴部２ｂは、容器軸Ｏ方向から見た上面視で円形状に限られるものではなく、例えば、矩形状若しくは楕円形状など適宜変更してもよい。
【００５１】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００５２】
１  詰め替え容器
１Ａ  注入口
２  容器本体
２ａ  口部
３  注出筒
３ａ  注出口
４  閉塞板
５  操作突片
６  回動支持部
２０  突片本体
２０ａ  一端部
２０ｂ  他端部
２１  フック部
３０  弱化部
Ａ  本容器
Ｏ  容器軸
【図１】
0006322496.tif 000002
【図２】
0006322496.tif 000003
【図３】
0006322496.tif 000004
【図４】
0006322496.tif 000005
【図５】
0006322496.tif 000006
【図６】
0006322496.tif 000007
【図７】
0006322496.tif 000008